(57)【要約】【課題】ＩＣタグに道路の現場設備の最新情報を記憶するようにした道路管理システムを得る。【解決手段】光ファイバ網を形成するハンドホールに設置されたクロージャ３ｘ〜３ｚには、光ファイバケーブル１ａ〜１ｆが配線され、この光ファイバケーブル１ａ〜１ｆの両端に、光ファイバケーブルの管理情報を格納したＩＣタグ２が設置され、このＩＣタグ２の管理情報は、ＩＣタグリーダライタ７を介して作業者が携帯する携帯端末６によって読出しおよび書込みされるように構成され、携帯端末６は、事務所の設備管理８から、光ファイバの接続・分岐作業指示をダウンロードし、このダウンロードした光ファイバの接続・分岐作業指示を、ＩＣタグ２の管理情報によって確認した上で、実際の作業を行うようにしたものである。【選択図】図１
2007163962.tif 000002
【特許請求の範囲】
【請求項１】
道路に配置された管理対象物に設置され、上記管理対象物の管理情報を格納したＩＣタグ、このＩＣタグの上記管理情報を読出しおよび書込みするＩＣタグリーダライタ、および上記管理対象物に対する工事を行う作業者に携帯され、上記作業者の指示によりＩＣタグリーダライタを介して上記管理情報の読出しおよび書込みを行う携帯端末を備え、上記携帯端末は、上記ＩＣタグリーダライタを介して読み出された上記管理情報を、上記管理対象物の作業者が上記管理対象物に対する工事を行うときに参照させるとともに、上記工事が完了したとき、上記ＩＣタグの管理情報を上記ＩＣタグリーダライタを介して更新することを特徴とする道路管理システム。
【請求項２】
上記管理情報を格納したデータベースを有し、上記携帯端末に接続されて、上記データベースに格納された上記管理情報に基づき、上記携帯端末に上記管理対象物に対する工事指示を行う管理設備を備えたことを特徴とする請求項１記載の道路管理システム。
【請求項３】
上記管理対象物は、光ファイバ網を形成するハンドホールに設置された光接続箱に配線されている光ファイバであり、上記管理情報は、上記光ファイバの接続情報および上記光ファイバの工事履歴を含むとともに、上記携帯端末は、上記管理設備からの上記光ファイバに対する工事指示をダウンロードし、このダウンロードした上記光ファイバに対する工事指示に基づき、上記作業者が上記光ファイバに対する工事を行うことを特徴とする請求項２記載の道路管理システム。
【請求項４】
上記管理対象物は、地中に埋設された配線配管であり、上記ＩＣタグに格納された管理情報は、上記配線配管の布設情報および上記配線配管の工事履歴を含むことを特徴とする請求項１記載の道路管理システム。
【請求項５】
上記管理対象物は、道路設備であり、上記ＩＣタグに格納された管理情報は、上記道路設備の破損情報および上記道路設備の保守情報を含むことを特徴とする請求項１記載の道路管理システム。
【請求項６】
上記管理対象物は、道路の緑地帯に植樹されている樹木であり、上記ＩＣタグに格納された管理情報は、上記樹木の保守情報を含むことを特徴とする請求項１記載の道路管理システム。
【請求項７】
上記管理対象物は、道路の照明設備であり、上記ＩＣタグに格納された管理情報は、上記照明設備の玉切れ情報および上記照明設備の保守情報を含むことを特徴とする請求項１記載の道路管理システム。
【請求項８】
道路に配置された管理対象物に設置されたＩＣタグに格納された上記管理対象物の管理情報を読出しおよび書込みするＩＣタグリーダライタに接続され、上記管理対象物に対する工事を行う作業者の指示により上記ＩＣタグリーダライタを介して上記ＩＣタグから読み出した上記管理情報を、上記作業者が上記管理対象物に対する工事を行うときに参照させるとともに、上記工事が完了したとき、上記ＩＣタグの管理情報を上記ＩＣタグリーダライタを介して更新することを特徴とする道路管理端末装置。
【請求項９】
道路に配置された管理対象物に設置されたＩＣタグに格納された上記管理対象物の管理情報を、上記管理対象物に対する工事を行う作業者に携帯された端末装置によってＩＣタグリーダライタを介して読出し、この読み出された上記管理情報を、上記管理対象物の作業者が上記管理対象物に対する工事を行うときに参照させ、上記工事が完了したとき、上記ＩＣタグの管理情報を上記端末装置により上記ＩＣタグリーダライタを介して更新することを特徴とする道路管理方法。
【発明の詳細な説明】
【技術分野】
【０００１】
この発明は、ＩＣタグを利用して、建設道路における設備管理を効率的に支援する道路管理システム及び道路管理端末装置並びに道路管理方法に関するものである。
【背景技術】
【０００２】
従来からＩＣタグを利用して対象物を管理するシステムが考えられている。
たとえば、特許文献１には、光ファイバケーブル間を相互に接続して光ファイバ網を形成する光接続箱を識別する識別ＩＤをＩＣタグに登録し、管理装置に設けられたデータベースと一致させることにより、光接続箱の特定を行っている。ここで、光接続箱の管理に必要な管理情報は、事務所に設置される管理装置側にのみ登録される。
また、特許文献２には、道路のガードレールなどに多数の無線タグを配置し、車が事故等によりガードレールに衝突した時に、振動センサや圧力センサが検知して無線タグを動作させ、アンテナを通じて監視用コンピュータに出力することにより、警察や道路監視センターなどへ事故の発生や発生位置を通報するものが示されている。
【０００３】
【特許文献１】特開２００３−２８４２１３号公報（第３〜５頁、図１）
【特許文献２】特開２００５−１１５４０８号公報（第７〜８頁、図８）
【発明の開示】
【発明が解決しようとする課題】
【０００４】
特許文献１の従来のＩＣタグを利用したシステムは、光接続箱の管理情報を事務所の管理装置側でしか管理しておらず、この管理装置側では、実際の現場の光接続箱の接続・分岐の状態と異なる情報を持っているケースが多々あった。
また、現場で光ファイバの接続・分岐工事を行えば、その工事内容については事務所の管理装置のデータベースに登録しなければならず、作業が煩雑且つ膨大になり、このため、管理装置のデータベースが更新される機会が少なくなり、次第に現場の状況とかけ離れたものになってゆくなどの問題があった。
また、管理装置のデータベースが破損し、データが消失した際には、予めバックアップされた情報しか復旧できず、現場の最新状態に戻せない（復旧に膨大な時間と手間がかかる）という問題もあった。
【０００５】
また、特許文献２のガードレール衝突検知に関するものは、位置情報が保存された無線タグを使用し、事故発生時に該当無線タグの電源をＯＮすることで、アンテナが無線タグから位置情報を読み取っているが、この無線タグには、ガードレールの破損状況を書込むことができない。そのため、後日ガードレールの復旧を行う人は、現場での破損状況を無線タグにより確認することができないという問題点があった。
【０００６】
この発明は、上記のような課題を解決するためになされたものであり、道路の管理対象物に設置されたＩＣタグに、管理対象物の最新情報を記憶するようにした道路管理システム及び道路管理端末装置並びに道路管理方法を得ることを目的にしている。
【課題を解決するための手段】
【０００７】
この発明に係わる道路管理システムにおいては、道路に配置された管理対象物に設置され、管理対象物の管理情報を格納したＩＣタグ、このＩＣタグの管理情報を読出しおよび書込みするＩＣタグリーダライタ、および管理対象物に対する工事を行う作業者に携帯され、作業者の指示によりＩＣタグリーダライタを介して管理情報の読出しおよび書込みを行う携帯端末を備え、携帯端末は、ＩＣタグリーダライタを介して読み出された管理情報を、管理対象物の作業者が管理対象物に対する工事を行うときに参照させるとともに、工事が完了したとき、ＩＣタグの管理情報をＩＣタグリーダライタを介して更新するものである。
【発明の効果】
【０００８】
この発明は、以上説明したように、道路に配置された管理対象物に設置され、管理対象物の管理情報を格納したＩＣタグ、このＩＣタグの管理情報を読出しおよび書込みするＩＣタグリーダライタ、および管理対象物に対する工事を行う作業者に携帯され、作業者の指示によりＩＣタグリーダライタを介して管理情報の読出しおよび書込みを行う携帯端末を備え、携帯端末は、ＩＣタグリーダライタを介して読み出された管理情報を、管理対象物の作業者が管理対象物に対する工事を行うときに参照させるとともに、工事が完了したとき、ＩＣタグの管理情報をＩＣタグリーダライタを介して更新するので、現場の管理対象物に設置されたＩＣタグに最新情報を残すことができ、事務所から管理情報を取り出さなくても現場のみで管理情報の確認を行うことができる。
【発明を実施するための最良の形態】
【０００９】
実施の形態１．
以下、この発明の実施の形態１を図１に基づいて説明する。
図１は、この発明の実施の形態１による道路埋設光ファイバ管理システムを示す構成図である。
図１において、光ファイバ網を形成するハンドホール（地中配線のための浅いマンホール）内に設置されている光接続箱であるクロージャ３ｘ、３ｙ、３ｚには、光ファイバケーブル１ａ〜１ｆが配線され、クロージャ３ｘ、３ｙ、３ｚの内部にて光ファイバの芯線４が、接続・分岐されている。分岐した光ファイバの先には、ＣＣＴＶ５のような端末装置が接続される場合もある。ここで、クロージャは、光接続箱であり、たとえば、光ファイバケーブルの長さに応じて１ｋｍ程度の間隔でハンドホール内に設けられ、数百本〜千本程度の光ファイバの芯線４を内蔵し、この光ファイバの芯線４を接続先となる光ファイバの芯線４に接続することで、光伝送路の接続、分岐を行う。
ハンドホール内の光ファイバケーブル１ａ〜１ｆの各両端には、ＩＣタグ２が設置されており、ＩＣタグ２の中にはハンドホールの情報や、光ファイバの芯線４毎の接続先や、接続方式、施工年月、施工業者等の情報を含む工事履歴が保存されている。
【００１０】
携帯端末６（道路管理端末装置）には、ＩＣタグ２の情報を読み書きするＩＣタグリーダライタ７が接続される。携帯端末６は、事務所のセンタ端末である管理設備８から、工事指示情報や、現場のハンドホール情報、光ファイバの芯線４情報などをダウンロードし、現場の作業者は、このダウンロードされた情報を現地のＩＣタグ２に書き込まれている情報と付き合わせながら、作業対象の光ファイバケーブル１ａ〜１ｆを特定する。
事務所の管理設備８は、ＰＣ（パーソナルコンピュータ）等のコンピュータで構成される。管理設備８上には、光ファイバの管理を行うためのファイバ管理データベース９が構築される。ファイバ管理データベース９には、ハンドホールやクロージャ３ｘ、３ｙ、３ｚ等の情報を管理する設備台帳や、光ファイバケーブルの工事履歴や工事内容を保存した工事管理台帳、光ファイバの接続先などを格納し、光ファイバの配線管理を行う配線管理台帳、光ファイバの配線系統図等が登録される。
なお、ＩＣタグ２に格納される管理情報は、ＩＣタグ２の容量に応じて、ファイバ管理データベース９に格納される管理情報の一部または全部に対応させることができる。
【００１１】
次に、動作について説明する。
新たにハンドホール内で光ファイバケーブル１ａ〜１ｆの接続・分岐工事を行う場合、作業者は、事務所の管理設備８よりファイバ管理データベース９の情報を検索し、工事対象の光ファイバの空芯を確認し、作業指示情報を入力し、そのデータを携帯端末６にダウンロードする。
携帯端末６には、ＩＣタグ２の情報を読み書きするためのＩＣタグリーダライタ７が接続されている。携帯端末６は、管理設備８からハンドホール情報、クロージャ情報、光ファイバ情報、工事履歴情報、作業指示情報などをダウンロードし、作業者が携帯端末６を現場へ持ち出せるようになっている。
【００１２】
現場では、携帯端末６に接続されているＩＣタグリーダライタ７で、工事対象となる光ファイバケーブル１ａ〜１ｆのＩＣタグ２の情報を読取り、作業指示情報と誤りがないかどうかを確認する。誤りがなければ、作業指示情報の内容に基づき、光ファイバの芯線４の接続・分岐作業を行い、作業内容を携帯端末６へ入力する。工事完了時に、作業内容、作業者などの情報をＩＣタグ２へ書き込み、ＩＣタグ２の情報を更新する。
事務所へ戻り、ＩＣ２タグに書き込んだ内容を管理設備８へアップロードし、管理設備８でファイバ管理データベース９の各台帳を更新させる。また、管理設備８では、更新された情報を元に配線図の更新処理を行う。
管理設備８のファイバ管理データベース９が、破損・消失した場合、まずは、予めバックアップされているバックアップデータよりデータ復旧を行うが、バックアップ時期により、最新の工事データ等が復旧できない場合がある。その場合は、現場のＩＣタグ２より、携帯端末６にデータを読み込ませ、このデータにもとづき、管理設備８のファイバ管理データベース９を更新させることが可能である。
【００１３】
実施の形態１によれば、ＩＣタグにより現場設備に最新情報を残すことができるとともに、事務所の管理設備のファイバ管理データベースが破損消失した場合でも、現場のＩＣタグよりデータを収集することにより、最新の現場情報を得ることができる。
これにより、事務所の管理情報を現場の状況に不整合を起こさせないようにできるとともに、現場に最新情報があるため、事務所から管理情報を取り出さなくても現場のみで情報の確認が可能となる。
【００１４】
実施の形態２．
図２は、この発明の実施の形態２による埋設配管管理システムを示す構成図である。
図２において、２、６〜８は、図１におけるものと同一のものである。図２では、ＩＣタグ２は、埋設された配線配管１０ａ〜１０ｄに設置されている。管理設備８には、埋設された配線配管１０ａ〜１０ｄの管理情報を格納した設備管理データベース１１が搭載されている。
【００１５】
実施の形態２では、現場の埋設された配線配管１０ａ〜１０ｄに設置したＩＣタグ２に情報を残すことにより、埋設配管管理を行う。
埋設された配線配管１０ａ〜１０ｄの管理情報としては、布設されているケーブル種別、芯数、行き先情報や、埋設された配線配管１０ａ〜１０ｄの保守情報、工事履歴であり、これらの情報をケーブル布設時や、保守時に現場にて書込むとともに、設備管理データベース１１へアップロードする。
また、現場から情報を取得したい場合は、車等の移動体に携帯端末６、ＩＣタグリーダライタ７を取り付け、移動しながら情報を取得することで、読み取り時間の短縮が図られる。
【００１６】
実施の形態２によれば、ＩＣタグに、埋設された配線配管の最新情報を残すことができるとともに、事務所の管理設備の設備管理データベースが破損消失した場合でも、現場のＩＣタグよりデータを収集することにより、最新の現場情報を得ることができる。
【００１７】
実施の形態３．
図３は、この発明の実施の形態３による道路設備管理システムを示す構成図である。
図３において、２、６〜８、１１は図２におけるものと同一のものである。図３では、ガードレール１２にＩＣタグ２が設置されている。
【００１８】
実施の形態３では、現場のガードレール１２等の道路設備に設置したＩＣタグ２に管理情報を残すことにより、道路設備管理を可能としている。ここで、管理情報としては、道路設備の破損状況や修理・保守情報である。
道路のメンテナンス員が車にて道路巡回中に発見したガードレール１２の破損を破損箇所のＩＣタグ２に情報として書き込んでおく。後日修理を行う人が、該当場所を通過する時に、実施の形態２と同様にして、ＩＣタグ２の情報を読み取ることで、修理箇所が分かるようにして、修理作業の効率化を図るようにする。修理作業時には、ＩＣタグ２に修理作業についての情報を書込む。
ＩＣタグ２に書込まれた管理情報は、設備管理データベース１１へアップロードされる。
【００１９】
実施の形態３によれば、ガードレールなどの道路設備の破損を破損箇所のＩＣタグに管理情報として書き込んでおき、後日修理を行う人が該当場所を通過する時に、ＩＣタグを読取ることにより修理すべき箇所が分かるようにして、修理作業の効率化を図ることができる。
また、ＩＣタグに、ガードレールなどの道路設備の最新情報を残すことができ、事務所の管理設備の設備管理データベースが破損消失した場合でも、現場のＩＣタグよりデータを収集することにより、最新の現場情報を得ることができる。
【００２０】
実施の形態４．
図４は、この発明の実施の形態４のよる道路樹木植栽管理システムを示す構成図である。
図４において、２、６〜８、１１は図２におけるものと同一のものである。図４では、道路の緑地帯に植樹されている樹木１３にＩＣタグ２が設置されている。
【００２１】
実施の形態４では、現場の樹木１３に設置したＩＣタグ２に管理情報を残すことにより、道路樹木植栽管理を行う。この管理情報としては、害虫駆除や、植栽日、樹木の状態に応じた剪定の要否を含む剪定作業状況などの保守情報である。
道路の緑地帯に植樹されている樹木１３の管理情報をＩＣタグ２に書込んでおき、樹木１３の整備者がその管理情報をＩＣタグ２のそばを通過するときに、実施の形態２と同様にして、読取ることにより、剪定や害虫駆除などの保守作業の効率化を図る。保守作業時には、ＩＣタグ２に保守作業についての情報を書込む。
ＩＣタグ２に書込まれた管理情報は、設備管理データベース１１へアップロードされる。
【００２２】
実施の形態４によれば、樹木の管理情報を、樹木に設置されたＩＣタグに書き込んでおき、後日樹木の整備者がそばを通過する時に、ＩＣタグを読取ることにより樹木の状態を把握でき、保守作業の効率化を図ることができる。
また、ＩＣタグに、樹木の最新情報を残すことができ、事務所の管理設備の設備管理データベースが破損消失した場合でも、現場のＩＣタグよりデータを収集することにより、最新の現場情報を得ることができる。
【００２３】
実施の形態５．
図５は、この発明の実施の形態５による道路照明設備管理を示す構成図である。
図５において、２、６〜８、１１は図２におけるものと同一のものである。図５では、ＩＣタグ２は、照明柱１５に設けられ、道路照明灯１４の管理情報が格納される。
【００２４】
実施の形態５では、現場の照明柱１５に設置したＩＣタグ２に、道路照明灯１４の管理情報を残すことにより、道路照明設備管理を行う。ここで、管理情報としては、玉切れ情報や、その保守情報である。
夜に道路のメンテナンス員が、車にて道路巡回中に発見した道路照明灯１４の玉切れを該当の照明柱１５に設置されたＩＣタグ２に書込んでおく。昼間に修理を行う人が、該当場所を通過する時に、実施の形態２と同様にして、ＩＣタグ２の情報を読み取り、修理箇所が分かるようにすることで、玉切れの修理作業の効率化を図る。修理作業時には、ＩＣタグ２に修理についての情報を書込む。
ＩＣタグ２に書込まれた管理情報は、設備管理データベース１１へアップロードされる。
【００２５】
また、メンテナンス員が個別で書込みをしなくても、各道路照明灯１４にセンサを設けておき、夜に照明が点灯しないものを自動でＩＣタグに書込むようにすることで、さらに効率化が図れる。
【００２６】
実施の形態５によれば、道路照明灯情報を、照明柱に設置されたＩＣタグに書き込んでおき、後日照明柱のメンテナンス員がそばを通過する時に、ＩＣタグを読取ることにより、道路照明灯の状態を把握でき、修理作業の効率化を図ることができる。
また、ＩＣタグに、道路照明灯の最新情報を残すことができ、事務所の管理設備の設備管理データベースが破損消失した場合でも、現場のＩＣタグよりデータを収集することにより、最新の現場情報を得ることができる。
【図面の簡単な説明】
【００２７】
【図１】この発明の実施の形態１による道路埋設光ファイバ管理システムを示す構成図である。
【図２】この発明の実施の形態２による埋設配管管理システムを示す構成図である。
【図３】この発明の実施の形態３による道路設備管理システムを示す構成図である。
【図４】この発明の実施の形態４のよる道路樹木植栽管理システムを示す構成図である。
【図５】この発明の実施の形態５による道路照明設備管理を示す構成図である。
【符号の説明】
【００２８】
１ａ〜１ｄ  光ファイバケーブル
２  ＩＣタグ
３ｘ〜３ｚ  クロージャ
４  光ファイバの芯線
５  ＣＣＴＶ
６  携帯端末
７  ＩＣタグリーダライタ
８  設備管理
９  ファイバ管理データベース
１０ａ〜１０ｄ  埋設された配線配管
１１  設備管理データベース
１２  ガードレール
１３  樹木
１４  道路照明灯
１５  照明柱
【図１】
2007163962.tif 000003
【図２】
2007163962.tif 000004
【図３】
2007163962.tif 000005
【図４】
2007163962.tif 000006
【図５】
2007163962.tif 000007